【事件の表示】
　平成　４年特許願第３４６７２５号「撮像装置」拒絶査定不服審判事件〔平成　６年　７月１５日出願公開、特開平　６−１９７３６２〕について、次のとおり審決する。
【結　論】
　本件審判の請求は、成り立たない。
【理　由】
第１　【手続きの経緯、本願発明】
　本願は、平成４年１２月２５日の出願であって、その特許請求の範囲の請求項１に係る発明は、平成１５年４月７日付けの手続補正書により補正された明細書及び図面の記載からみて、請求項１に記載された撮像装置に関するものであるところ、その請求項１に係る発明（以下「本願発明」という。）は次のとおりのものである。
「【請求項１】　被写体光を電気信号に変換するための撮像手段と、
　前記撮像手段の出力に基づいて輝度成分信号及び色差成分信号を得るための信号処理手段と、
　前記信号処理手段によって得られた輝度成分信号及び色差信号から色信号を得るための色分離マトリクス手段と、
　被写体の色温度を検出する色温度検出手段によって検出された第１，第２の色温度のそれぞれのときにおいて、前記輝度成分信号及び色差信号に基づいて演算することによって得られた前記色分離手段のマトリクス係数を予め記憶するメモリと、
　前記撮像手段によって撮像を行うときの前記色温度検出手段によって検出された色温度に応じて、前記メモリにおいて予め記憶された前記第１，第２の色温度におけるマトリクス係数に基づいて、撮像を行うときの前記色分離マトリクス手段の色マトリクス係数を算出する制御手段とを有することを特徴とする撮像装置。」
　　　　　　　
第２　【引用例】
　１　これに対して、原査定の拒絶の理由に引用された特開平４−１２７７８８号公報（以下「引用例１」という。）には、「原色信号調整方法」（発明の名称）に関し、図面と共に次の（１）ないし（６）のとおりの記載がある。
　（１）「調整対象となるＣＣＤカラービデオカメラにより、所定の環境下でカラーバーチャートが撮像されたときに、該ＣＣＤカラービデオカメラの固体撮像素子から出力されて原色分離マトリックス回路に入力される輝度信号と２種類の色差信号のレベル値が各々調整され、該原色分離マトリックス回路から出力される原色信号の特性が、基準となる原色信号の特性に近づけられる、ことを特徴とする原色信号調整方法。」（特許請求の範囲）
　（２）「〔発明が解決しようとする課題〕
　しかしながら、ハロゲンライトのみを光源として調整した場合、光源が異なると（例えば、ＣＣＤカメラを屋外の太陽光の下で使用したとき）、その調整は必ずしも適正ではなくなり、ＯＣＣＦの分光特性のばらつきが色再現性に大きく影響するおそれが有った。
　本発明の目的は、ＯＣＣＦの分光特性のばらつきの影響を極力減少させ、良好な原色信号を得ることができる原色信号調整方法を提供することにある。
〔課題を解決するための手段〕
　上記目的を達成するために、本発明に係る原色信号調整方法は、調整対象となるＣＣＤカラービデオカメラ（１）により、所定の環境下でカラーバーチャート（５）が撮像されたときに、該ＣＣＤカラービデオカメラ（１）の固体撮像素子（７）から出力されて原色分離マトリックス回路（１１）に入力される輝度信号Ｙと２種類の色差信号ＣＲ，ＣＢのレベル値が各々調整され、該原色分離マトリックス回路（１１）から出力される原色信号Ｒ，Ｇ，Ｂの特性が、基準となる原色信号Ｒ０，Ｇ０，Ｂ０の特性に近づけられる、ことを特徴とする。」（公報２頁左上欄６行ないし同頁右上欄１０行）
　（３）「本実施例のＣＣＤカメラ（１）は、第１図から理解されるように、ハロゲンランプ（３）を光源としてカラーバーチャート（５）から出射される光を受けて光／電気変換を行なうＣＣＤ（７）（固体撮像素子）を有している。」（公報２頁左下欄３行ないし７行）
　（４）「ＣＣＤ（７）には例えば補色市松方式の色フィルタ（黄，緑，シアン，マゼンダからなる）が設けられ、その出力信号はサンプルホールド回路（９）に入力されて所望の処理が行なわれ、輝度信号Ｙ、色差信号ＣＲ，ＣＢとして原色分離マトリックス回路（１１）に入力される。
　原色分離マトリックス回路（１１）では、信号Ｙ，ＣＲ，ＣＢから原色信号Ｒ，Ｇ，Ｂが生成されて出力され、調整回路（１３）に入力される。
　そして、調整回路（１３）では、各々の信号Ｒ，Ｇ，Ｂに対してホワイトバランス、ガンマ補正などの処理が行なわれた原色信号Ｒ′，Ｇ′，Ｂ′が出力されてマトリックス回路（１５）に入力され、マトリックス回路（１５）ではＮＴＳＣ方式に準じた輝度信号Ｙ、色差信号（Ｒ−Ｙ），（Ｂ−Ｙ）が生成・出力される。」（公報２頁左下欄８行ないし同頁右下欄３行）
　（５）「ＣＣＤカメラ（１）は以上のように構成され、ＣＣＤ（７）のＯＣＣＦの分光特性のばらつきの影響は、マトリックス回路（１１）に与える係数、すなわち９個の可変アンプ（２ａ）〜（２ｃ），（４ａ）〜（４ｃ），（６ａ）〜（６ｃ）の調整割合（例えば、増幅率）を変えることにより吸収される。
　そこで、本発明の要部、すなわちマトリックス回路（１１）に与える係数を決定する方法について説明する。
　まず、原色３板カメラ等、規準となるカラービデオカメラにより、カラーバーチャート（５）が撮像され、そのときに得られる原色信号が基準となる原色信号Ｒ０，Ｇ０，Ｂ０として記録（例えば、ＩＣメモリ等に格納）される。」（公報３頁左上欄１０行ないし同頁右上欄３行）
　（６）「次に、ＣＣＤカメラ（１）でカラーバーチャート（５）が撮像されたときにサンプルホールド回路（７）から出力される信号Ｙ，ＣＲ，ＣＢに対して、所定の演算が行なわれ、回路（１１）から出力される信号Ｒ，Ｇ，Ｂの波形が信号Ｒ０，Ｇ０，Ｂ０の波形に近づくように、最小二乗法の考え方により調整される。
　すなわち、行列Ａ，行列Ｂが下式（２），（３）で与えられ、Ａ−１が行列Ａの逆行列、ｔ（Ａ−１・Ｂ）が行列（Ａ−１・Ｂ）の転置行列であるとき、回路（１１）に与えられる係数を成分とするマトリックス（原色分離マトリックス）Ｃは、下式（１）によって与えられる。
　Ｃ＝〔ｔ（Ａ−１・Ｂ）〕−１　　　　‥‥（１）　　　　
　　　　　・・・（中略）・・・
　このように、本発明では、ハロゲンライト（３）を光源としてＣＣＤカメラ（１）で得られる信号Ｒ，Ｇ，Ｂが、分光特性情報を含む波形であって、一種の分光特性であるとして取り扱われ、従って、その分光特性を信号Ｒ０，Ｇ０，Ｂ０に最も近づかせるための処理が原色分離マトリックス回路（１１）で行なわれる。
　そして、本実施例では、信号Ｒ，Ｇ，Ｂと信号Ｒ０，Ｇ０，Ｂ０との誤差が最も小さくなるための行列Ｃが最小二乗法に基いて与えられているが、信号Ｒ，Ｇ，Ｂを信号Ｒ０，Ｇ０，Ｂ０に近付けるために必要な行列は、他の数学的理論に基いても決定することができる。
　以上説明したように、本実施例では、信号Ｒ，Ｇ，Ｂの特性が信号Ｒ０，Ｇ０，Ｂ０に近づくように、信号Ｙ，ＣＲ，ＣＢのレベル値が各々調整されるので、信号Ｒ，Ｇ，Ｂは理想的な特性に補正される。」（公報３頁右上欄１０行ないし同頁右下欄１０行）　　　　
　　　　　　　　　　　　　　　　　　　
　２　同じく、原査定の拒絶の理由で周知例として引用された特開平２−１４２２９３号公報（以下「引用例２」という。）には、「色信号処理装置」（発明の名称）に関し、図面と共に次の（１）及び（２）のとおりの記載がある。
　（１）「本発明は、補色フィルタを装着した単板式カラービデオカメラやカラースチルビデオカメラの色信号処理装置に関する。」（公報１頁右下欄８行ないし１０行）
　（２）「第２のマトリクス演算手段としてのＲＧＢ変換部１２０はこのようにして求められた〔ａｉｊ〕の係数を有する。
　尚〔ａｉｊ〕は、式（１６）がα、Ｐによって異なるので色温度ごとに最適値が異なる。
　そこで本実施例のＲＧＢ変換部１２０では色温度によるＲＧＢ変換マトリクス係数の切り換えを行う。その為に色温度検出器ＣＤで外光の分光特性から、赤色光成分と青色光成分の比率により、判別してこれによりマトリクス係数を自動的に切り換える。具体的には複数のＲＧＢ変換テーブルを有し、これを色温度に応じて切換えれば良い。」（公報６頁右下欄１行ないし１２行）　　　　　　
　　　　　　　　　　　　　　　　　　　　　
　３　同じく、原査定の拒絶の理由で周知例として引用された特開平２−１４２２９４号公報（以下「引用例３」という。）には、「色信号処理装置」（発明の名称）に関し、図面と共に次の（１）及び（２）のとおりの記載がある。
　（１）「本発明は、補色フィルタを装着した単板式カラービデオカメラやカラースチルビデオカメラの色信号処理装置に関する。」（公報１頁右下欄５行ないし７行）
　（２）「したがって、〔ａｉｊ〕は式（１６）がα、Ｐによって異なるので色温度ごとに最適値が異なる。従って、複数のＲＧＢ変換部１１０−１〜１１０−６を設け色温度ごとの異なるマトリクス演算を行う。
　色温度によるＲＧＢ変換マトリクス係数の切り換えは外光から判断して手動スイッチの切換えで行っても良いが、本実施例では色温度検出器１２０で外光の分光特性から、赤色光成分と青色光成分の比率を判別して、これによりスイッチＳＷを自動的に切り換える。
　色再現はマトリクス係数を近似して固定乗算器を用いても良いが、本実施例では２０００°Ｋ，３０００°Ｋ，４０００°Ｋ，５０００°Ｋ，６０００°Ｋ，７０００°Ｋの夫々に適したＲ，Ｇ，Ｂ変換用のテーブルを用いる。なお、色温度はより細かいステップ毎にその変換、マトリクスを求めれば、より完璧な信号処理が可能である。」（公報７頁左上欄１０行ないし同頁右上欄７行）
　　　　　　　　　　　　　　　　
第３　【当審の判断】
　１［対比］
　本願発明と引用例１に記載の発明とを対比すると次の（１）ないし（４）のことが認められる。
　（１）引用例１には、ＣＣＤカメラ（１）は、ハロゲンランプ（３）を光源としてカラーバーチャート（５）から出射される光を受けて光／電気変換を行なうＣＣＤ（７）（固体撮像素子）を有すると記載されており（引用例１の上記（３）の記載参照）、上記「ＣＣＤ（７）（固体撮像素子）」及び「ＣＣＤカメラ（１）」が、それぞれ本願発明の「撮像手段」及び「撮像装置」に相当することは明らかである。
　（２）引用例１には、ＣＣＤ（７）には補色市松方式の色フィルタ（黄，緑，シアン，マゼンダからなる）が設けられ、その出力信号はサンプルホールド回路（９）に入力されて所望の処理が行なわれ、輝度信号Ｙ、色差信号ＣＲ，ＣＢとして原色分離マトリックス回路（１１）に入力されることが記載されており（引用１の上記（４）の記載参照）、上記「サンプルホールド回路（９）」が、本願発明でいう「前記撮像手段の出力に基づいて輝度成分信号及び色差成分信号を得るための信号処理手段」に相当するといえる。
　（３）引用例１には、原色分離マトリックス回路（１１）では、輝度信号Ｙ，色差信号ＣＲ，ＣＢから原色信号Ｒ，Ｇ，Ｂが生成されて出力され、調整回路（１３）で各々の信号Ｒ，Ｇ，Ｂに対してホワイトバランス、ガンマ補正などの処理が行なわれ、マトリックス回路（１５）に入力され、マトリックス回路（１５）ではＮＴＳＣ方式に準じた輝度信号Ｙ、色差信号（Ｒ−Ｙ），（Ｂ−Ｙ）が生成・出力されると記載されており（引用例１の上記（４）の記載参照）、上記「原色分離マトリックス回路（１１）」が、本願発明でいう「前記信号処理手段によって得られた輝度成分信号及び色差信号から色信号を得るための色分離マトリクス手段」に相当するといえる。
　（４）引用例１には、ハロゲンライトのみを光源として調整した場合、光源が異なると（例えば、ＣＣＤカメラを屋外の太陽光の下で使用したとき）、その調整は必ずしも適正ではなくなり、ＯＣＣＦの分光特性のばらつきが色再現性に大きく影響するおそれが有ったという問題点に鑑み、ＯＣＣＦの分光特性のばらつきの影響を極力減少させ、良好な原色信号を得ることができる原色信号調整方法を提供することが記載されており（引用例１の上記（１）、（２）の記載参照）、またＣＣＤ（７）のＯＣＣＦの分光特性のばらつきの影響は、原色分離マトリックス回路（１１）に与える係数を変えることによって調整され、そして、その原色分離マトリックス回路（１１）に与える係数は、輝度信号及び色差信号に基づいて演算して求めることも記載されている（引用例１の上記（５）、（６）の記載参照）。
　してみると、引用例１に記載の発明も、「前記輝度成分信号及び色差信号に基づいて演算することによって前記色分離手段のマトリクス係数を得る手段」を有するものといえ、その点では、本願発明と変わりがない。　　
　　　　　　　　　　　　　　　　　　　　
２［一致点］　　　　
　以上の点（１）ないし（４）を踏まえると、本願発明と引用例１に記載された発明とは、
「被写体光を電気信号に変換するための撮像手段と、
　前記撮像手段の出力に基づいて輝度成分信号及び色差成分信号を得るための信号処理手段と、
　前記信号処理手段によって得られた輝度成分信号及び色差信号から色信号を得るための色分離マトリクス手段と、
　前記輝度成分信号及び色差信号に基づいて演算することによって前記色分離手段のマトリクス係数を得る手段を有することを特徴とする撮像装置」である点で一致し、次の点で相違する。　　　　　　　　　　　　　　　　　　　　　　　　　　　　　　　　　　　　　　　
　３［相違点］　　　　　
　本願発明は、上記色分離手段のマトリクス係数を得る手段が、「被写体の色温度を検出する色温度検出手段によって検出された第１，第２の色温度のそれぞれのときにおいて」得られた色分離手段のマトリクス係数を「予め記憶するメモリ」を有し、「前記撮像手段によって撮像を行うときの前記色温度検出手段によって検出された色温度に応じて、前記メモリにおいて予め記憶された前記第１，第２の色温度におけるマトリクス係数に基づいて、撮像を行うときの前記色分離マトリクス手段の色マトリクス係数を算出する制御手段」を有しているのに対して、引用例１には、それらのことが記載されていない点。　　　　　　　　　　　
　　　　　　　　　　　　　　
　４［相違点の検討］
　そこで、上記相違点について検討する。
　撮像装置において、被写体の色温度ごとに求められた色分離手段のマトリクス係数を予め記憶するＲＧＢ変換テーブル（本願発明の「メモリ」に相当）を設け、撮像を行うときの色温度検出手段によって検出された色温度に応じて、そのＲＧＢ変換テーブル（メモリ）に予め記憶された複数の色温度ごとのマトリクス係数の中から最適なマトリクス係数を得ることは引用例２、３にも示されているように周知であり（引用例２、３の上記（１）、（２）の記載参照）、また、メモリを節約するために複数の代表係数値のみをメモリに格納しておき、メモリに格納された複数の代表係数値に重み付け演算を施すことで最適な係数値を算出することも、極く一般的な技術事項であるから、引用例１に記載の撮像装置において、上記周知のような被写体の色温度ごとに求められた色分離手段のマトリクス係数を予め記憶するＲＧＢ変換テーブル（本願発明の「メモリ」に相当）を設け、撮像を行うときの色温度検出手段によって検出された色温度に応じて、そのＲＧＢ変換テーブル（メモリ）に予め記憶された複数の色温度ごとのマトリクス係数の中から最適なマトリクス係数を得るようになすことは当業者が適宜になし得ることであり、その際、複数の代表マトリクス係数のみをメモリに格納しておき、当該代表マトリクス係数に基づいて重み付け演算して適切なマトリクス係数を算出するようになすことも、上記技術事項を勘案すれば設計上任意になし得ることにすぎない。すなわち、引用例１に記載の発明において、本願発明のように「被写体の色温度を検出する色温度検出手段によって検出された第１，第２の色温度のそれぞれのときにおいて」得られた色分離手段のマトリクス係数を「予め記憶するメモリ」を有し、「前記撮像手段によって撮像を行うときの前記色温度検出手段によって検出された色温度に応じて、前記メモリにおいて予め記憶された前記第１，第２の色温度におけるマトリクス係数に基づいて、撮像を行うときの前記色分離マトリクス手段の色マトリクス係数を算出する制御手段」を有するようになす程度のことは当業者が容易になし得ることといえる。
　そして、本願発明の構成に基づく効果についてみても格別顕著なものがあるとはいえない。　　
　　　　　　　　　　　　　　　　　　　　
第４　【むすび】
　したがって、本願の請求項１に係る発明は、引用例１ないし３に記載された発明に基づいて当業者が容易に発明をすることができたものであるから、本願発明は、特許法第２９条第２項の規定に該当し特許を受けることができない。
　よって、結論のとおり審決する。